(57)【要約】【課題】DisplayPort規格に準拠した通信用ケーブル内に設けられた線を太くして通信用ケーブルの機能を向上させる場合に比べ、通信用ケーブルの径の増大を抑えつつ通信用ケーブルの機能の向上を図る。【解決手段】（Ｂ）にて示すMiniDisplayPortケーブルでは、撚り対線により構成された補助チャンネル５１が設けられているが、（Ａ）にて示す通信用ケーブルでは、補助チャンネル５１の部分に設けられていたこの撚り対線が省略され、（Ａ）の符号５Ｙで示すように、この撚り対線に換わり、３本の単線３８０が設けられている。【選択図】図４
2017045579.tif 000002
【特許請求の範囲】
【請求項１】
ＤｉｓｐｌａｙＰｏｒｔ規格に準拠した一対のコネクタと、
前記一対のコネクタ同士を接続し内部に複数の撚り対線が設けられた接続ケーブルであって、当該接続ケーブルがＤｉｓｐｌａｙＰｏｒｔ規格に準拠している場合に設けられる複数の撚り対線のうちの一部の撚り対線が省略され、ＤｉｓｐｌａｙＰｏｒｔ規格における撚り対線の数よりも少ない数の当該撚り対線が設けられるとともに、省略された当該一部の撚り対線に換わり単線が設けられた接続ケーブルと、
を備える通信用ケーブル。
【請求項２】
前記一部の撚り対線に換わり設けられた前記単線は、当該一部の撚り対線を構成する各線よりも太いことを特徴とする請求項１に記載の通信用ケーブル。
【請求項３】
前記一部の撚り対線に換わり設けられた前記単線は、複数本設けられていることを特徴とする請求項１又は２に記載の通信用ケーブル。
【請求項４】
前記一部の撚り対線に換わり設けられた前記単線は、電源供給に用いられる線であることを特徴とする請求項１に記載の通信用ケーブル。
【請求項５】
電源供給に設けられる前記線は、複数設けられ、複数種類の電源を供給可能となっている請求項４に記載の通信用ケーブル。
【請求項６】
前記接続ケーブル内には、前記撚り対線が２本以上設けられ、作動信号による通信であって全二重通信を行える請求項１乃至５の何れかに記載の通信用ケーブル。
【請求項７】
前記通信用ケーブルは、双方向性を有していることを特徴とする請求項１乃至６の何れかに記載の通信用ケーブル。
【請求項８】
ＤｉｓｐｌａｙＰｏｒｔ規格に準拠した一対のコネクタと、
前記一対のコネクタ同士を接続し内部に複数の撚り対線が設けられた接続ケーブルであって、当該接続ケーブルがＤｉｓｐｌａｙＰｏｒｔ規格に準拠している場合に設けられる複数の撚り対線よりも少ない数の撚り対線が設けられるとともに、当該接続ケーブルがＤｉｓｐｌａｙＰｏｒｔ規格に準拠している場合に設けられる単線の数よりも多い数の単線が設けられた接続ケーブルと、
を備える通信用ケーブル。
【請求項９】
画像形成装置本体と、
ユーザへの情報の表示およびユーザからの指示の受け付けを行うユーザインタフェース部と、
前記画像形成装置本体側と前記ユーザインタフェース部とを接続する通信用ケーブルと、
を備え、
前記通信用ケーブルが、請求項１乃至８の何れかに記載された通信用ケーブルにより構成された画像形成装置。
【発明の詳細な説明】
【技術分野】
【０００１】
本発明は、通信用ケーブルおよび画像形成装置に関する。
【背景技術】
【０００２】
特許文献１には、映像音声伝送インタフェースを介して、表示装置と接続する映像出力装置において、映像音声伝送インタフェースに対する直流電源出力を適応的に制御することによって、消費電力の低減及び安全性の確保を図る構成が開示されている。
【先行技術文献】
【特許文献】
【０００３】
【特許文献１】特開２００７−２７４０６５号公報
【発明の概要】
【発明が解決しようとする課題】
【０００４】
信号の送信側と受信側とを接続する規格として、DisplayPort（登録商標）規格が知られている。DisplayPort規格に準拠した通信用ケーブルにて、その機能を向上させるには、例えば、通信用ケーブル内にある線を太くする。ところで、このように線を太くすると、通信用ケーブルの径が増し、通信用ケーブルの大型化を招く。
本発明の目的は、DisplayPort規格に準拠した通信用ケーブル内に設けられた線を太くして通信用ケーブルの機能を向上させる場合に比べ、通信用ケーブルの径の増大を抑えつつ通信用ケーブルの機能の向上を図ることにある。
【課題を解決するための手段】
【０００５】
請求項１に記載の発明は、DisplayPort規格に準拠した一対のコネクタと、前記一対のコネクタ同士を接続し内部に複数の撚り対線が設けられた接続ケーブルであって、当該接続ケーブルがDisplayPort規格に準拠している場合に設けられる複数の撚り対線のうちの一部の撚り対線が省略され、DisplayPort規格における撚り対線の数よりも少ない数の当該撚り対線が設けられるとともに、省略された当該一部の撚り対線に換わり単線が設けられた接続ケーブルと、を備える通信用ケーブルである。
請求項２に記載の発明は、前記一部の撚り対線に換わり設けられた前記単線は、当該一部の撚り対線を構成する各線よりも太いことを特徴とする請求項１に記載の通信用ケーブルである。
請求項３に記載の発明は、前記一部の撚り対線に換わり設けられた前記単線は、複数本設けられていることを特徴とする請求項１又は２に記載の通信用ケーブルである。
請求項４に記載の発明は、前記一部の撚り対線に換わり設けられた前記単線は、電源供給に用いられる線であることを特徴とする請求項１に記載の通信用ケーブルである。
請求項５に記載の発明は、電源供給に設けられる前記線は、複数設けられ、複数種類の電源を供給可能となっている請求項４に記載の通信用ケーブルである。
請求項６に記載の発明は、前記接続ケーブル内には、前記撚り対線が２本以上設けられ、作動信号による通信であって全二重通信を行える請求項１乃至５の何れかに記載の通信用ケーブルである。
請求項７に記載の発明は、前記通信用ケーブルは、双方向性を有していることを特徴とする請求項１乃至６の何れかに記載の通信用ケーブルである。
請求項８に記載の発明は、DisplayPort規格に準拠した一対のコネクタと、前記一対のコネクタ同士を接続し内部に複数の撚り対線が設けられた接続ケーブルであって、当該接続ケーブルがDisplayPort規格に準拠している場合に設けられる複数の撚り対線よりも少ない数の撚り対線が設けられるとともに、当該接続ケーブルがDisplayPort規格に準拠している場合に設けられる単線の数よりも多い数の単線が設けられた接続ケーブルと、を備える通信用ケーブルである。
請求項９に記載の発明は、画像形成装置本体と、ユーザへの情報の表示およびユーザからの指示の受け付けを行うユーザインタフェース部と、前記画像形成装置本体側と前記ユーザインタフェース部とを接続する通信用ケーブルと、を備え、前記通信用ケーブルが、請求項１乃至８の何れかに記載された通信用ケーブルにより構成された画像形成装置である。
【発明の効果】
【０００６】
請求項１の発明によれば、DisplayPort規格に準拠した通信用ケーブル内に設けられた線を太くして通信用ケーブルの機能を向上させる場合に比べ、通信用ケーブルの径の増大を抑えつつ通信用ケーブルの機能の向上を図れる。
請求項２の発明によれば、一部の撚り対線に換えて設けられた単線の太さが、この一部の撚り対線を構成する各線の太さと同じである場合に比べ、通信用ケーブルの機能の向上を図れる。
請求項３の発明によれば、一部の撚り対線の換わりに設けられた単線が単数である場合に比べ、通信用ケーブルの機能の向上を図れる。
請求項４の発明によれば、通信用ケーブルの径の増大を抑えつつ、通信用ケーブルが有する機能のうちの電源供給に関する機能を向上させることができる。
請求項５の発明によれば、一本の通信用ケーブルで複数種類の電源を供給できるようになる。
請求項６の発明によれば、ノイズの影響を受けにくく、また、データの伝送効率が高い通信が可能となる。
請求項７の発明によれば、一対のコネクタを構成する一方のコネクタと他方のコネクタとが入れ換わった状態で、接続対象に対して通信用ケーブルが接続されようとしても、この接続を実現できる。
請求項８の発明によれば、DisplayPort規格に準拠した通信用ケーブル内に設けられた線を太くして通信用ケーブルの機能を向上させる場合に比べ、通信用ケーブルの径の増大を抑えつつ通信用ケーブルの機能の向上を図れる。
請求項９の発明によれば、画像形成装置本体とユーザインタフェース部とを接続する通信用ケーブルの径の増大を抑えつつこの通信用ケーブルの機能の向上を図れる。
【図面の簡単な説明】
【０００７】
【図１】画像形成装置を示した図である。
【図２】画像形成装置に設けられた制御部と、ＵＩ部との接続に用いられる通信用ケーブルを示した図である。
【図３】第１コネクタ、第２コネクタの正面図である。
【図４】（Ａ）、（Ｂ）は、MiniDisplayPortケーブル、および、本実施形態の通信用ケーブルを説明する図である。
【図５】（Ａ）、（Ｂ）は、通信用ケーブルの接続先である、装置本体側、ＵＩ部におけるピンの配置構成を示した図である。
【発明を実施するための形態】
【０００８】
以下、添付図面を参照して、本発明の実施の形態について詳細に説明する。
図１は、本実施形態に係る画像形成装置１を示した図である。
本実施形態の画像形成装置１には、装置本体（画像形成装置本体）１０、記録材である用紙を収容する用紙収容部２０が設けられている。また、図示は省略するが、装置本体１０の内部には、用紙に対して画像を形成する画像形成手段の一例としての画像形成機構が設けられている。また、装置本体１０の内部には、画像形成装置１の各部を制御する制御部２００が設けられている。
【０００９】
ここで、画像形成機構は、感光体ドラムを有し、いわゆる電子写真方式を用い、用紙への画像形成を行う。なお、画像の形成方式は、電子写真方式に限らず、インクジェット方式など、他の方式を用いてもよい。
また、制御部２００は、プログラム制御されたＣＰＵにより構成されている。
【００１０】
装置本体１０の上部には、画像が形成された用紙が排出される用紙排出部３０が設けられている。また、装置本体１０の上部には、ユーザインタフェース部１００（以下、「ＵＩ部１００」と称する）が設けられている。
ＵＩ部１００は、図中の矢印に示すように、予め定められたヒンジ（不図示）を中心として回転可能に設けられている。また、ＵＩ部１００は、タッチパネル方式のモニタを備え、ユーザへの情報の表示およびユーザからの指示の受け付けを行う。
【００１１】
図２は、画像形成装置１に設けられた制御部２００と、ＵＩ部１００との接続に用いられる通信用ケーブル３００を示した図である。
本実施形態の通信用ケーブル３００には、第１コネクタ３１０、第２コネクタ３２０の一対のコネクタ３１０，３２０が設けられている。また、この一対のコネクタ３１０，３２０を接続する接続ケーブル３３０が設けられている。
【００１２】
第１コネクタ３１０、第２コネクタ３２０の各々は、DisplayPort規格に準拠したコネクタである。また、接続ケーブル３３０は、DisplayPort規格に準拠した接続ケーブルに近い構成を有し、接続ケーブル３３０の内部には、複数の撚り対線（ツイストペア線）、および、単線が設けられている。
【００１３】
ここで、DisplayPort規格には、コネクタが小さいMiniDisplayPortも含まれる。図２にて示す通信用ケーブル３００の第１コネクタ３１０、第２コネクタ３２０は、MiniDisplayPortに対応したコネクタである。
以下の説明では、MiniDisplayPortについて主に説明するが、本実施形態の各構成は、MiniDisplayPortではない通常のDisplayPortにも適用できる。
【００１４】
図３は、第１コネクタ３１０、第２コネクタ３２０の正面図である。
図３に示すように、第１コネクタ３１０、第２コネクタ３２０の各々には、２０本のピン３４０Ｐが設けられている。ここで、本実施形態では、図中最も左に位置し且つ上段に位置するピン３４０Ｐのピン番号は「１」である。また、この「１」の下に位置するピン３４０Ｐのピン番号は「２」である。
【００１５】
また、図中最も右側に位置し且つ上段に位置するピン３４０Ｐのピン番号は「１９」であり、この「１９」のピン３４０Ｐの下に位置するピン３４０Ｐのピン番号は、「２０」である。
また、上段に位置するピン３４０Ｐのピン番号は、図中左側から右側に向かってその数が増え、さらに、この上段には、奇数のピン番号を有するピン３４０Ｐが並んでいる。
また、下段に位置するピン３４０Ｐのピン番号も、図中左側から右側に向かってその数が増える。さらに、この下段には、偶数のピン番号を有するピン３４０Ｐが並んでいる。
【００１６】
図４（Ａ）、（Ｂ）は、MiniDisplayPortケーブル、および、本実施形態の通信用ケーブル３００を説明する図である。具体的には、図４（Ａ）が、本実施形態の通信用ケーブル３００を説明する図であり、図４（Ｂ）が、MiniDisplayPortケーブルを説明する図である。
【００１７】
本実施形態の通信用ケーブル３００の説明に先立ち、まず、図４（Ｂ）を参照し、MiniDisplayPortケーブルについて説明する。
MiniDisplayPortケーブルは、本実施形態の通信用ケーブル３００と同様、２つのコネクタを有する。ここで、図４（Ｂ）にて符号４Ａで示す欄は、２つ設けられたこのコネクタのうちの一方のコネクタに設けられたピンのピン番号を示している。また、符号４Ｂで示す欄は、他方のコネクタに設けられたピンのピン番号を示している。
さらに、符号４Ｃで示す欄は、コネクタ同士を接続する接続ケーブル内に設けられた各線の状態を示し、符号４Ｄで示す欄は、各線の太さ（番線）を示している。さらに、符号４Ｅで示す欄は、接続ケーブル内の各線の状態や役割を示している。
【００１８】
図４（Ｂ）の符号４１，４２，４３，４４に示すように、MiniDisplayPortケーブルには、ディスプレイデータや音声データの転送に用いられる４つのメインリンク４１，４２，４３，４４が設けられている。
さらに、デバイスのコントロール等に用いる補助チャンネル（AUX CH）５１が設けられている。また、デバイスの接続を検知するホットプラグ検知（Hot Plug Detect）６１が設けられている。
【００１９】
メインリンク４１，４２，４３，４４は、送り側（Source Device）から受け側（Sink Device）への単方向シリアルインターフェイスであり、１レーン、２レーン、４レーンのいずれかで構成される（本実施形態では、４レーン）。
ホットプラグ検知６１は、例えば、ＰＣへのモニタの接続の検知や、リンクの確立のために使用される。
【００２０】
ここで、MiniDisplayPortケーブルでは、符号４Ｃで示す欄にて、「Twinax」と表示されているように、４つのメインリンク４１，４２，４３，４４、および、補助チャンネル５１が、撚り対線（ツイストペア線）により構成されている。これにより、MiniDisplayPortケーブルは、合計で５本の撚り対線が設けられた構成となっている。
また、符号４Ｄで示す欄に表示されているように、４つのメインリンク４１，４２，４３，４４、および、補助チャンネル５１を構成する各線（撚り対線を構成する各線）は、何れも３２番線により構成されている。
【００２１】
次に、図４（Ａ）を参照し、本実施形態の通信用ケーブル３００について説明する。
なお、図４（Ｂ）と同様、図４（Ａ）にて符号５Ａで示す欄は、第１コネクタ３１０に設けられたピン３４０Ｐのピン番号を示している。また、符号５Ｂで示す欄は、第２コネクタ３２０に設けられたピン３４０Ｐのピン番号を示している。
さらに、符号５Ｃで示す欄は、コネクタ３１０，３２０同士を接続する接続ケーブル３３０内に設けられた各線の状態を示し、符号５Ｄで示す欄は、各線の太さ（番線）を示している。さらに、符号５Ｅで示す欄は、接続ケーブル３３０内の各線の役割を示している。
【００２２】
本実施形態の通信用ケーブル３００では、上記MiniDisplayPortケーブルに複数設けられていた上記撚り対線のうちの一部の撚り対線が省略され、DisplayPort規格における撚り対線の数よりも少ない数の撚り対線が設けられている。
さらに、本実施形態の通信用ケーブル３００では、省略された上記一部の撚り対線に換えて、複数本の単線が設けられている。
【００２３】
言い換えると、本実施形態の通信用ケーブル３００では、接続ケーブル３３０がDisplayPort規格に準拠している場合に設けられる複数の寄り対線よりも少ない数の撚り対線が設けられた構成となっている。
また、本実施形態の通信用ケーブル３００では、接続ケーブル３３０がDisplayPort規格に準拠している場合に設けられる単線の数よりも多い数の単線が設けられた構成となっている。
【００２４】
より具体的には、図４（Ｂ）にて示したMiniDisplayPortケーブルでは、上記のとおり、撚り対線により構成された補助チャンネル５１が設けられていたが、本実施形態では、補助チャンネル５１の部分に設けられていたこの撚り対線が省略され、図４（Ａ）の符号５Ｙで示すように、この撚り対線に換わり、３本の単線３８０が設けられている。
【００２５】
ここで、この３本の単線３８０は、何れも３０番線であり、補助チャンネル５１に設けられた撚り対線を構成する各線（３２番線の各線）よりも太くなっている。
付言すると、番線は、その値が小さいほど太いことを示し、本実施形態では、単線３８０の方が、撚り対線を構成する各線よりも太くなっている。
【００２６】
ところで、図４（Ｂ）にて示したMiniDisplayPortケーブルは、４Ｋテレビなどの高速のビデオ信号に対応できる能力を有する。その一方で、画像形成装置１に設けられるＵＩ部１００には、ここまでの能力は必要とされない。
より具体的には、MiniDisplayPortケーブルには、４つのメインリンク４１，４２，４３，４４が設けられ、高速シリアル信号を伝送するためのレーンが４レーンあるが、画像形成装置１に設けられるＵＩ部１００における表示では、１レーンあれば足りる。
【００２７】
そこで、本実施形態では、４つ設けられたメインリンク４１，４２，４３，４４のうちの１つのメインリンク４１を、画像データ送信用に使用する。具体的には、図４（Ａ）にて符号５Ｇで示す部分を、画像データ送信用に使用する。
【００２８】
また、残り３つのメインリンク４２，４３，４４のうちの２つのメインリンク４２，４３を、画像形成装置１の装置本体１０側と、ＵＩ部１００との通信に用いる。
より具体的には、本実施形態では、２つのメインリンク４２，４３を用い、装置本体１０側とＵＩ部１００との間で、全二重通信を行えるようにする。
具体的には、図４（Ａ）にて符号５Ｈで示す部分（メインリンク４２であった部分）を用いて、装置本体１０側からＵＩ部１００へデータ送信を行うようにし、符号５Ｊで示す部分（メインリンク４３であった部分）を用いて、ＵＩ部１００から装置本体１０側へデータ送信を行うようにする。
【００２９】
ここで、符号５Ｈ、５Ｊで示す２つの部分（メインリンク４２、４３であった部分）は、いずれも、撚り対線により構成され、作動信号による通信を行える。これにより、ノイズの影響を受けにくくなる。
さらに説明すると、メインリンク４２、４３は、本来、画像データの送信用に割り当てられているが、本実施形態では、一方のメインリンク４２を、装置本体１０側からＵＩ部１００へのデータ送信に使用し、他方のメインリンク４３を、ＵＩ部１００から装置本体１０側へのデータ送信に用いる。
【００３０】
さらに、本実施形態では、上記のとおり、補助チャンネル５１を構成するための撚り対線が省略され、この撚り対線に換わり、３本の単線３８０が設けられている。そして、本実施形態では、３本の単線３８０を、電源供給用の線として使用する。
【００３１】
ここで、装置本体１０側とＵＩ部１００との間の通信に、MiniDisplayPortケーブルそのものを使用する態様も考えられる。ところで、この場合は、MiniDisplayPortケーブルに加え、電源線、通信線を別途用意する必要が生じてしまう。
これに対し、本実施形態のように、一部の撚り対線に換えて単線を設けた場合、１本のケーブルで（電源線、通信線を別途用意せずに）、装置本体１０側とＵＩ部１００との接続を行えるようになる。
【００３２】
より具体的には、MiniDisplayPortケーブルには、図４（Ｂ）の符号６２で示すように、電源に関する線として、３．３Ｖ電源に対応した単線しか設けられておらず、電源容量の不足が懸念される。このようなMiniDisplayPortケーブルを用いて、装置本体１０側とＵＩ部１００との接続を行う場合、MiniDisplayPortケーブルとは別に、電源用のケーブルを用意する必要が生じる。
【００３３】
これに対し、本実施形態では、３本の単線３８０の部分が電源供給用として用いられ、電源容量が確保される。この結果、本実施形態では、MiniDisplayPortケーブルとは別のケーブルを用意しないでも、装置本体１０側とＵＩ部１００との接続を行える。
【００３４】
また、MiniDisplayPortケーブルは、通常、送り側（Source Device）から受け側（Sink Device）への単方向シリアルインターフェイスであり、コントローラとの通信に用いる通信線は通常用意されていない。MiniDisplayPortケーブルでは、一方向へのデータ通信を想定しており、双方向の通信はメインとして想定されていない。
このようなMiniDisplayPortケーブルを用いて、装置本体１０側とＵＩ部１００との通信を行う場合は、通常、MiniDisplayPortケーブルとは別に、通信用のケーブルを用意する必要が生じる。
【００３５】
これに対し、本実施形態の構成では、メインリンク４２、４３の部分（符号５Ｈ、５Ｊで示す２つの部分）で、双方向の通信が行えるようになる。これにより、本実施形態では、通信用の専用ケーブルを別途用意せずに、装置本体１０側とＵＩ部１００との通信を行える。
さらに説明すると、本実施形態では、通信用ケーブル３００を１本用意するだけで、画像信号の送信、装置本体１０側とＵＩ部１００との間におけるデータの送受信、ＵＩ部１００への電源供給が可能になる。
【００３６】
さらに、本実施形態では、接続ケーブル３３０の径の拡大を抑えつつ、供給可能な電源の容量を増やせる。ここで、MiniDisplayPortケーブルにおいても、図４（Ｂ）の符号６２に示すように、電源供給のための線が設けられており、この線を太くすれば、供給可能な電源の容量を増やせる。しかしながら、この場合、接続ケーブルの径の拡大を招いてしまう。
【００３７】
ここで、本実施形態では、上記のとおり、MiniDisplayPortケーブルに元々設けられている複数の撚り対線のうちの一部の撚り対線を省略し、この一部の撚り対線に換わり、単線を設置している。この場合、この単線を、この一部の撚り対線を構成する各線よりも太くしても、接続ケーブル３３０の径の拡大は起きにくい。
【００３８】
ここで、撚り対線は、その径が、撚り対線を構成する各線を平行にならべた場合の径よりも大きい。このため、本実施形態のように、撚り対線に換わり複数本の単線を設け、さらに、この複数の単線の各々の径を、撚り対線を構成する各線よりも太くしても、接続ケーブル３３０の径の拡大は起きにくい。
具体的には、本実施形態では、撚り対線を構成する各線は３２番線であり、撚り対線に換わり複数設けた単線３８０は３０番線であるが、接続ケーブル３３０の径の拡大は抑えられている。本実施形態の構成では、接続ケーブル３３０の径の拡大を招かずに、供給可能な電源の容量を増やせる。
【００３９】
さらに、本実施形態では、通信用ケーブル３００の製造コストを、MiniDisplayPortケーブルそのものを用いる場合に比べ低減できる。
一般的に、撚り対線を設ける場合、単線を設ける場合に比べ、製造コストが増加する。本実施形態の通信用ケーブル３００では、製造コストを押し上げる１本の撚り対線に換えて、単線３８０が設けられた構成となっており、MiniDisplayPortケーブルよりも製造コストが低下する。
【００４０】
また、本実施形態では、図４（Ａ）の符号５Ｘで示すように、第１コネクタ３１０に設けられた１０番のピン３４０Ｐと、第２コネクタ３２０に設けられた５番のピン３４０Ｐとを接続する線（撚り対線を構成する一方の線）がホットラインとなっている。また、同様に、１２番のピン３４０Ｐと３番のピン３４０Ｐとを接続する線（撚り対線を構成する他方の線）もホットラインとなっている。
ホットラインとは、装置本体１０に設けられた制御部２００（図１参照）が直接制御を行う制御対象が接続される線である。本実施形態では、この制御対象が、ＵＩ部１００に設けられた電源スイッチ、ＬＥＤとなっている。
【００４１】
さらに、本実施形態では、図４（Ａ）の符号５Ｋ、５Ｍで示すように、電源の系統として、「ＵＩ_５Ｖ_１」、「ＵＩ_５Ｖ_２」の２つの系統が設けられている。これにより、本実施形態の通信用ケーブル３００では、複数種類の電源の供給を行える。
なお、図４（Ａ）に示す例では、「ＵＩ_５Ｖ_１」、「ＵＩ_５Ｖ_２」の各々にて、５Ｖの電源を供給しているが、５Ｖ以外も供給でき、例えば、一方の系統で５Ｖの電源を供給し、他方の系統で３．３Ｖの電源を供給してもよい。また、例えば、一方の系統で５Ｖの電源を供給し、他方の系統で２４Ｖの電源を供給してもよい。
ここで、図４（Ｂ）の符号６２で示すように、MiniDisplayPortケーブルにも、電源が一系統あるが、このように電源が一系統のみであると、供給可能な電源の種類が１種類のみとなってしまう。
【００４２】
また、「ＵＩ_５Ｖ_１」、「ＵＩ_５Ｖ_２」の２つの系統のそれぞれには、２本の単線が設けられているため、これらをばらして用いれば、４系統の電源用の線を設けることもできる。
また、本実施形態では、図４（Ａ）にて符号５Ｎで示す線も、電源用の線であり、本実施形態では、電源供給用の線が、最大で、５系統設けられる。
【００４３】
さらに、本実施形態の通信用ケーブル３００は、ソース側やシンク側といった方向性を有しておらず、双方向性を有している。言い換えると、一対のコネクタ３１０，３２０のうちの何れのコネクタであっても、装置本体１０側、ＵＩ部１００の両者に接続できる。
【００４４】
図５（Ａ）、（Ｂ）は、通信用ケーブル３００の接続先である、装置本体１０側、ＵＩ部１００におけるピン７００の配置構成を示した図である。なお、図５（Ａ）は、装置本体１０側に設けられたピン７００の配置構成を示し、図５（Ｂ）は、ＵＩ部１００に設けられたピン７００の配置構成を示している。
【００４５】
ここで、装置本体１０側、ＵＩ部１００のそれぞれに設けられたピン７００には、ピン番号が付されている。図５（Ａ）、（Ｂ）にて、図中上段に位置するピン７００には、奇数のピン番号が付され、図中下段に位置するピン７００には、偶数のピン番号が付されている。さらに、図中左方のピン７００ほどピン番号が大きくなっている。
【００４６】
装置本体１０側とＵＩ部１００とではピン７００の配置が異なっており、例えば、装置本体１０側では、ホットキーについてのピン７００のピン番号は１０であるが（ホットキーについてのピン７００は１０番に位置するが）、ＵＩ部１００側では、ホットキーについてのピン７００のピン番号は、５番となっている。
【００４７】
ここで、本実施形態では、装置本体１０側に設けられた上記１０番のピン７００に対しては、図４（Ａ）にて符号５Ｐで示す１０番のピン３４０Ｐ（第１コネクタ３１０の１０番のピン３４０Ｐ）が接続される。そして、この１０番のピン３４０Ｐは、接続ケーブル３３０内の線を介して、符号５Ｑで示す５番のピン３４０Ｐ（第２コネクタ３２０の５番のピン３４０Ｐ）に接続される。そして、この５番のピン３４０Ｐは、ＵＩ部１００側の５番に位置する（図５（Ｂ）参照）、ホットキーについてのピン７００に接続される。
【００４８】
ここで、コネクタ３１０，３２０が逆転した場合（第１コネクタ３１０と第２コネクタ３２０とが入れ替わった場合）を想定すると、装置本体１０側に設けられた１０番のピン７００に対しては、図４（Ａ）にて符号５Ｒで示す１０番のピン３４０Ｐが接続される。
そして、この１０番のピン３４０Ｐは、接続ケーブル３３０内の線を介して、符号５Ｓで示す５番のピン３４０Ｐに接続される。そして、この５番のピン３４０Ｐは、ＵＩ部１００側の５番に位置する（図５（Ｂ）参照）、ホットキーについてのピン７００に接続される。
【００４９】
このように、本実施形態の通信用ケーブル３００は、ソース側やシンク側といった方向性を有していない。即ち、双方向性を有する。言い換えると、一対のコネクタ３１０，３２０のうちの何れのコネクタも、装置本体１０側あるいはＵＩ部１００側への接続を行える。
【符号の説明】
【００５０】
１…画像形成装置、１０…装置本体（画像形成装置本体）、１００…ユーザインタフェース部、３００…通信用ケーブル、３１０…第１コネクタ、３２０…第２コネクタ、３３０…接続ケーブル、３８０…単線
【図１】
2017045579.tif 000003
【図２】
2017045579.tif 000004
【図３】
2017045579.tif 000005
【図４】
2017045579.tif 000006
【図５】
2017045579.tif 000007